【事件の表示】
　特願２０１４−１１６１２６「コンテンツにアクセスする装置および方法」拒絶査定不服審判事件〔平成２６年１１月　６日出願公開、特開２０１４−２０９３５５〕について、次のとおり審決する。
【結　論】
　本件審判の請求は、成り立たない。
【理　由】
第１　手続の経緯
　本願は、２００９年（平成２１年）１月２９日（パリ条約による優先権主張外国庁受理２００８年（平成２０年）２月７日、米国）を国際出願日とする特願２０１０−５４５９３２号（以下、「原出願」という。）の一部を平成２６年６月４日に新たな出願としたものであって、平成２７年７月１０日付けで拒絶理由が通知され、平成２７年１０月１３日付けで手続補正がされ、平成２８年３月１１日付けで拒絶査定がされ、これに対し、平成２８年７月１５日に拒絶査定不服審判が請求され、同時に手続補正がされたものである。
第２　平成２８年７月１５日付けの手続補正についての補正却下の決定
［補正却下の決定の結論］ 
　平成２８年７月１５日付けの手続補正を却下する。
［理由］
１．手続補正の内容
　平成２８年７月１５日付けの手続補正（以下、「本件補正」という）は、特許請求の範囲について補正するものであって、補正前の請求項１を補正後の請求項１とする補正を含んでおり、それらの記載は次のとおりである（下線は補正により変更された部分を示す）。
 [補正前の請求項１]
　第１の通信デバイスによって開始されるマーカ要求をサーバシステムが受信することと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされる、
　前記サーバシステムが前記マーカ要求を保存することと、
　前記サーバシステムが要求コンテンツ識別子およびリクエスタ識別子と、それぞれ、前記コンテンツ識別子および前記ユーザ識別子との間の一致を判断することと、ここで、前記要求コンテンツ識別子および前記リクエスタ識別子は、第２の通信デバイスによって送信される前に取得したコンテンツの消費を再開したいというコンテンツ再開要求に対応する、
　一致が判断された場合、前記サーバシステムが前記第２の通信デバイスへの前記マーカ情報の送信を開始することと、ここで、前記マーカ情報は、前記第１の通信デバイス上での前記コンテンツの保存状態で、前記第２の通信デバイス上で前記コンテンツへのアクセスを開始するように動作可能である、
　前記サーバシステムが、前記第２の通信デバイスに前記コンテンツをダウンロードすることと、
を備える、電子コンテンツへのアクセスを管理する方法。
[補正後の請求項１]
　第１の通信デバイスによって開始されるマーカ要求をサーバシステムが受信することと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされる、
　前記サーバシステムが前記マーカ要求を保存することと、
　前記サーバシステムが要求コンテンツ識別子およびリクエスタ識別子と、それぞれ、前記コンテンツ識別子および前記ユーザ識別子との間の一致を判断することと、ここで、前記要求コンテンツ識別子および前記リクエスタ識別子は、第２の通信デバイスによって送信される前に取得したコンテンツの消費を再開したいというコンテンツ再開要求に対応する、
　一致が判断された場合、前記サーバシステムが前記第２の通信デバイスへの前記マーカ情報の送信を開始することと、ここで、前記マーカ情報は、前記第１の通信デバイス上での前記コンテンツの保存状態で、前記第２の通信デバイス上で前記コンテンツへのアクセスを開始するように動作可能である、
　前記サーバシステムが、前記第２の通信デバイスに前記コンテンツをダウンロードすることと、
を備え
、前記コンテンツをダウンロードすることは、前記マーカ情報が示すロケーションで始まる前記コンテンツの部分をダウンロードすることを備え
２．補正の適否
（１）新規事項の有無、シフト補正の有無、補正の目的要件について
　補正後の請求項１は、補正前の請求項１における「前記第２の通信デバイスに前記コンテンツをダウンロードすること」について、「前記コンテンツをダウンロードすることは、前記マーカ情報が示すロケーションで始まる前記コンテンツの部分をダウンロードすること」との構成を付加するものである。
　この補正事項は、願書に最初に添付した明細書、特許請求の範囲又は図面に記載した事項の範囲内において、補正前の請求項１に記載した発明を特定するために必要な事項を限定的に減縮するものであって、その補正前後の請求項１に記載の発明の産業上の利用分野及び解決しようとする課題が同一であるものであるから、本件補正は、特許法第１７条の２第３項（新規事項）及び第５項第２号（補正の目的）の規定に適合している。
　また、特許法第１７条の２第４項（シフト補正）に違反するものでもない。
　そこで、補正後の請求項１に係る発明（以下、「本願補正発明」という）が特許法第１７条の２第６項において準用する同法第１２６条第７項に規定された特許出願の際独立して特許を受けられるものであるか否かについて以下検討する。
（２）独立特許要件
ア．本願補正発明
　本願補正発明は、上記[補正後の請求項１]の記載により特定される次のとおりのものである。
[本願補正発明]
「第１の通信デバイスによって開始されるマーカ要求をサーバシステムが受信することと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされる、
　前記サーバシステムが前記マーカ要求を保存することと、
　前記サーバシステムが要求コンテンツ識別子およびリクエスタ識別子と、それぞれ、前記コンテンツ識別子および前記ユーザ識別子との間の一致を判断することと、ここで、前記要求コンテンツ識別子および前記リクエスタ識別子は、第２の通信デバイスによって送信される前に取得したコンテンツの消費を再開したいというコンテンツ再開要求に対応する、
　一致が判断された場合、前記サーバシステムが前記第２の通信デバイスへの前記マーカ情報の送信を開始することと、ここで、前記マーカ情報は、前記第１の通信デバイス上での前記コンテンツの保存状態で、前記第２の通信デバイス上で前記コンテンツへのアクセスを開始するように動作可能である、
　前記サーバシステムが、前記第２の通信デバイスに前記コンテンツをダウンロードすることと、
を備え
、前記コンテンツをダウンロードすることは、前記マーカ情報が示すロケーションで始まる前記コンテンツの部分をダウンロードすることを備え
イ．刊行物に記載された発明
　原査定の拒絶の理由で引用された原出願の優先日前に頒布された刊行物である特開２００２−３２８９４９号公報（以下、「刊行物１」という）には、図面とともに次の事項が記載されている。（下線は当審で付したものである。）
「【発明の詳細な説明】
【０００１】
【発明の属する技術分野】本発明は、デジタルコンテンツをユーザが視聴するための技術に関する。」
「【０００５】
【発明が解決しようとする課題】近年、デジタルコンテンツの流通が盛んになってきた。漫画喫茶や図書館などが所有している、本、ＣＤ、ビデオ等がデジタルコンテンツとなると、利用者はそのデジタルコンテンツを漫画喫茶や図書館に設置された視聴端末を用いて視聴することが期待される。
利用者はデジタルコンテンツの視聴を途中で止め、次に来店した時に継続した視聴を行い、他の店舗でも続きを視聴することが期待される。
「【０００９】本発明の目的は、上記の課題を改善し、
利用者が
異なる視聴端末で、コンテンツ視聴の再開を可能とするデジタルコンテンツ表示方法
「【００１１】
【発明の実施の形態】以下、
本発明の実施の形態としてのデジタルコンテンツ視聴方法
「【００１６】次に、図１により、詳細な流れを説明する。図1は、本発明の一実施形態であるデジタルコンテンツ視聴システムの一連の動作をを示すシーケンス図である。
【００１７】
ステップ101) デジタルコンテンツ視聴者(デジタルコンテンツ視聴システム利用者)は、個人識別子とコンテンツ識別子を視聴端末装置220に入力する。
【００１８】
ステップ102) 視聴端末装置220は利用者から個人識別子とコンテンツ識別子を受付ける。
【００１９】
ステップ103) 視聴端末装置220は視聴開始情報を取得するために、利用者から受け付けた該個人識別子と該コンテンツ識別子を通信回線240を利用して視聴データ管理装置210に対して送信する。
視聴データ管理装置210
サーバが一つであるが、複数のサーバ
【００２０】
ステップ104) 視聴データ管理装置210は、視聴端末装置220から通信回線240を通して個人識別子とコンテンツ識別子を受信する。
【００２１】
ステップ105) 視聴データ管理装置210は、視聴端末装置220から通信回線240を通して受信した個人識別子と、視聴行動履歴とから、該個人識別子に対応した個人視聴行動履歴を得る。
【００２２】
ステップ106) 視聴データ管理装置210は、視聴端末装置220から通信回線240を通して受信したコンテンツ識別子から、該コンテンツ識別子に対応するコンテンツを準備する。
【００２３】
ステップ107) 視聴データ管理装置210は、視聴端末装置220から通信回線240を通して受信したコンテンツ識別子から、該コンテンツ識別子に対応するコンテンツ情報を準備する。
【００２４】ステップ108) 視聴データ管理装置210は、視聴端末装置220から通信回線240を通して端末タイプを受信すると、ステップ106で準備した該コンテンツを端末タイプに合わせて変換し、変換済みコンテンツを生成する。変換の例として、視聴端末装置220が文字情報のみを出力できる端末の場合、文字と絵とからなるコンテンツを、文字のみのコンテンツに変換する、音声情報のみを出力できる端末の場合は文字情報を音声情報に変換する、などがある。変換済みコンテンツ生成の詳細は図８を用いて説明する。
【００２５】
ステップ109) 視聴データ管理装置210は、ステップ105で得た該利用者の個人視聴行動履歴と、ステップ107で得たコンテンツ情報とから、視聴再開に必要な情報である、視聴開始情報を生成する。
【００２６】
ステップ110) 視聴データ管理装置210は、ステップ109で得た視聴開始情報と、
コンテンツとを、視聴端末装置220に通信回線240を利用して送信する。視聴開始情報が示す開始位置のコンテンツを視聴端末装置220に送ることも可能である。
コンテンツの開始位置から送る場合とコンテンツ全てを送る場合
【００２７】
ステップ111) 視聴端末装置220は、視聴データ管理装置210から、通信回線240を通して視聴開始情報と、
コンテンツを受信する。
【００２８】
ステップ112) 視聴端末装置220は、ステップ111で得た視聴開始情報と、
コンテンツ、とから、視聴情報を生成する。
利用者にとってそのコンテンツが最初の視聴である時も同様に最初から視聴情報を生成する。
【００２９】
ステップ113) 視聴端末装置220はステップ112で生成した視聴情報を利用者に通知する。
【００３０】
ステップ114) 利用者は視聴端末装置220から得た視聴情報を元に、視聴をする。視聴に関する操作はコンテンツにより様々である。一般的に、再生、進む、戻る、一時停止、停止、終了、再生位置検索、などの操作が行える。
【００３１】
ステップ115) 利用者が視聴端末に対し継続要求の操作を行う。
【００３２】
ステップ116) 視聴端末装置220は、利用者からの継続要求を受け付ける。
【００３３】
ステップ117) 視聴端末装置220は、視聴継続情報を生成する。視聴継続情報とは、コンテンツのどの位置まで視聴したかの情報をデジタル化したものである。
【００３４】
ステップ118) 視聴端末装置220は、個人視聴行動履歴を更新するために、個人識別子とコンテンツ識別子と視聴継続情報を、通信回線240を利用して視聴データ管理装置210に送信する。
【００３５】
ステップ120) 視聴データ管理装置210は、通信回線240を通して視聴端末装置220から、個人識別子とコンテンツ識別子と視聴継続情報を受信する。
【００３６】
ステップ120) 視聴データ管理装置210は、通信回線240を通して視聴端末装置220から受信した、個人識別子とコンテンツ識別子と視聴継続情報とから、視聴行動履歴の該個人識別子で識別される個人視聴行動履歴を更新する。
「【００４５】図4は本実施形態の視聴端末装置220の概略構成図である。図4に示すように、視聴端末装置220は、CPU401、入力装置402、出力装置403、通信アダプタ404、可搬記憶媒体I/O装置405、メモリ410、記憶装置420より構成される。
【００４６】CPU401は、視聴データ管理装置220全体の動作を制御する制御装置である。入力装置402は、ユーザからの情報を入力し、デジタル化するための装置であり、個人識別子、コンテンツ識別子、視聴操作を入力し、デジタル化する。キーボードや音声入力装置や、タッチパネル等、様々な形態がある。出力装置403は、デジタル化された情報を、利用者が認識できるものに変換し、ユーザに情報を伝達するための装置であり、利用者にコンテンツを視聴させたり、視聴操作を促したりする。ＣＲＴやスピーカや、振動装置など、様々な形態がある。通信アダプタ404は、他の装置とデジタル化された情報の送受信を行うための装置であり、視聴視聴データ管理装置210と情報の送受信を行う。可搬記憶媒体I/O装置405は、可搬記憶媒体230へ情報の読み書きを行う装置であり、ICカードリーダライタや、スマートカードリーダライタがある。メモリ410は、視聴端末装置220の動作を制御するための各種処理プログラムやデータを保持する記憶装置である。記憶装置420は、前記各種処理プログラムや視聴行動履歴や、場合によってはデジタルコンテンツを格納する磁気ディスク等の記憶装置である。
【００４７】視聴端末装置220は、利用者入出力処理部411と、受信送信処理部412と、視聴情報生成処理部413と、視聴継続情報生成処理部414と、制御処理部415を有している。
【００４８】利用者入出力処理部411は、利用者が入力装置402に入力した情報をメモリ410にロードする。場合によっては可搬記憶媒体I/O装置405を用いて、可搬記憶媒体230から入力する。また、視聴情報生成処理部413によって生成された視聴情報を、必要ならば出力装置に出力できる形式に変換し、出力装置に出力することによって、利用者に視聴させ、視聴操作を促す。
【００４９】受信送信処理部412は、通信アダプタ404を利用し、通信回線240を通して視聴データ管理装置210との情報の送受信を行う。受信した情報は、メモリ410にロード、もしくは記憶装置420に格納される。
【００５０】視聴情報生成処理部413は、受信送信処理部412で得た視聴開始情報と変換済コンテンツ、もしくは自ら準備したコンテンツから、利用者が視聴するべきデジタル化された情報を生成し、これと視聴操作を促す情報を合わせて視聴情報として、メモリ410にロードする。コンテンツの準備の方法は様々であり、例えばコンテンツ保管DBから準備しても良いし、視聴データ端末装置から受信しても良い。視聴情報生成処理部413は、利用者入出力処理部によって利用者から入力された操作情報から、視聴情報を更新する。
【００５１】視聴継続情報生成処理部414は、利用者入出力処理部によってメモリ410にロードされた情報と、視聴情報生成処理部413によって生成及び更新された視聴情報から、視聴継続情報を生成し、メモリ410にロードする。視聴継続情報は、コンテンツのどこまでを視聴したかなどの視聴の中断に関するデジタル化された情報である。制御処理部415は、メモリ410内の各処理部および記憶装置420といった視聴端末装置220全体を制御する。端末タイプ421は、該視聴端末装置220の特徴をデジタル化した情報であり、記憶装置420に格納されている。読み出しメモリ等に格納されていても良い。端末タイプ421により、その視聴端末装置220で視聴できるコンテンツの種類が制限される。例えば端末タイプ421が音声出力のみ可能であるという情報を持つ場合、視聴端末装置220は音声出力のみを備えた装置であるということを意味し、視覚に訴えるコンテンツの再生はできないということになる。コンテンツ保管DB422は、視聴データ管理装置210から受信した変換済コンテンツを保管する。主に視聴データ管理装置210との転送をキャッシュする目的や、メモリ420に変換済コンテンツが入りきらない場合の保管の目的で存在する。視聴データ管理装置210を、利用者入出力処理部411と、受信送信処理部412と、視聴情報生成処理部413と、視聴継続情報生成処理部414と、制御処理部415として機能させるためのプログラムは、CD-ROM等の記憶媒体から記憶装置420に格納された後、メモリ410にロードされて実行されるものとする。なお、前記プログラムを記憶する媒体は、CD-ROM以外の他の媒体、例えばＤＶＤやＤＡＴでも良い。また、通信アダプタ404を介して他の装置から記憶媒体に格納しても良い。
【００５２】図5は、視聴行動履歴管理DB321内に格納される視聴行動履歴500の例である。視聴行動履歴500は、デジタル化された情報であり、文字列等で表される複数の個人識別子と、コンテンツ識別子、該コンテンツ識別子で識別されるコンテンツに関する視聴行動に関する履歴から構成され、複数の個人視聴行動履歴510からなる。個人視聴行動履歴510は、１つの個人識別子に対して０個以上のコンテンツ識別子と、コンテンツ識別子に対して1つ以上の履歴情報から構成される。その他個人の嗜好などの個人情報や利用開始日等のシステム運用用の付帯情報などがあると実用的である。履歴情報はデジタルコンテンツの視聴開始位置が特定できるようなマーキング位置を有しており、同時に日付や視聴した端末などの情報があるのが実用的である。コンテンツに対しての履歴情報のうち、最も新しいものを、コンテンツに関する個人視聴行動履歴の最新情報511とする。」
　以上の記載（特に、下線部）および図面（特に、図１）から、刊行物１には、次の発明（以下、「刊行物１発明」という）が記載されていると認められる。
［刊行物１発明］
　利用者が、異なる視聴端末で、コンテンツ視聴の再開を可能とするデジタルコンテンツ視聴方法であって、
　デジタルコンテンツ視聴者(デジタルコンテンツ視聴システム利用者)は、個人識別子とコンテンツ識別子を視聴端末装置220に入力するステップ101と、
　視聴端末装置220は利用者から個人識別子とコンテンツ識別子を受付けるステップ102と、
　視聴端末装置220は視聴開始情報を取得するために、利用者から受け付けた該個人識別子と該コンテンツ識別子を通信回線240を利用して視聴データ管理装置210に対して送信するステップ103と、
　ここで、視聴データ管理装置210は、一つ又は複数のサーバであり、
　視聴データ管理装置210は、視聴端末装置220から通信回線240を通して個人識別子とコンテンツ識別子を受信するステップ104と、
　視聴データ管理装置210は、視聴端末装置220から通信回線240を通して受信した個人識別子と、視聴行動履歴とから、該個人識別子に対応した個人視聴行動履歴を得るステップ105と、
　視聴データ管理装置210は、視聴端末装置220から通信回線240を通して受信したコンテンツ識別子から、該コンテンツ識別子に対応するコンテンツを準備するステップ106と、 
　視聴データ管理装置210は、視聴端末装置220から通信回線240を通して受信したコンテンツ識別子から、該コンテンツ識別子に対応するコンテンツ情報を準備するステップ107と、
　視聴データ管理装置210は、ステップ105で得た該利用者の個人視聴行動履歴と、ステップ107で得たコンテンツ情報とから、視聴再開に必要な情報である、視聴開始情報を生成するステップ109と、
　視聴データ管理装置210は、ステップ109で得た視聴開始情報と、視聴開始情報が示す開始位置からのコンテンツ又はコンテンツ全てとを、視聴端末装置220に通信回線240を利用して送信するステップ110と、
　視聴端末装置220は、視聴データ管理装置210から、通信回線240を通して視聴開始情報と、コンテンツを受信するステップ111と、
　視聴端末装置220は、ステップ111で得た視聴開始情報と、コンテンツ、とから、視聴情報を生成し、利用者にとってそのコンテンツが最初の視聴である時は最初から視聴情報を生成するステップ112と、
　視聴端末装置220はステップ112で生成した視聴情報を利用者に通知するステップ113と、
　利用者は視聴端末装置220から得た視聴情報を元に、視聴をし、視聴に関する操作はコンテンツにより様々であり、一般的に、再生、進む、戻る、一時停止、停止、終了、再生位置検索、などの操作が行えるステップ114と、
　利用者が視聴端末に対し継続要求の操作を行い、例えば中断操作などであるステップ115と、
　視聴端末装置220は、利用者からの継続要求を受け付けるステップ116と、
　視聴端末装置220は、視聴継続情報を生成し、視聴継続情報とは、コンテンツのどの位置まで視聴したかの情報をデジタル化したものであるステップ117と、
　視聴端末装置220は、個人視聴行動履歴を更新するために、個人識別子とコンテンツ識別子と視聴継続情報を、通信回線240を利用して視聴データ管理装置210に送信するステップ118と、
　視聴データ管理装置210は、通信回線240を通して視聴端末装置220から、個人識別子とコンテンツ識別子と視聴継続情報を受信するステップ119と、
　視聴データ管理装置210は、通信回線240を通して視聴端末装置220から受信した、個人識別子とコンテンツ識別子と視聴継続情報とから、視聴行動履歴の該個人識別子で識別される個人視聴行動履歴を更新するステップ120と、
　を備えたデジタルコンテンツ視聴方法
ウ．本願補正発明と刊行物１発明との対比 
（ア）本願補正発明の「第１の通信デバイスによって開始されるマーカ要求をサーバシステムが受信することと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされる」について
　刊行物１発明の方法は、「利用者が視聴端末に対し継続要求の操作を行い、例えば中断操作などであるステップ115と、
　視聴端末装置220は、利用者からの継続要求を受け付けるステップ116と、
　視聴端末装置220は、視聴継続情報を生成し、視聴継続情報とは、コンテンツのどの位置まで視聴したかの情報をデジタル化したものであるステップ117と、
　視聴端末装置220は、個人視聴行動履歴を更新するために、個人識別子とコンテンツ識別子と視聴継続情報を、通信回線240を利用して視聴データ管理装置210に送信するステップ118と、
　視聴データ管理装置210は、通信回線240を通して視聴端末装置220から、個人識別子とコンテンツ識別子と視聴継続情報を受信するステップ119と、
　視聴データ管理装置210は、通信回線240を通して視聴端末装置220から受信した、個人識別子とコンテンツ識別子と視聴継続情報とから、視聴行動履歴の該個人識別子で識別される個人視聴行動履歴を更新するステップ120」を備えている。
　刊行物１発明の「視聴端末装置220」、「視聴データ管理装置210」、「個人識別子」、「コンテンツ識別子」は、それぞれ、本願補正発明の「第１の通信デバイス」、「サーバシステム」、「ユーザ識別子」、「コンテンツ識別子」に相当するものである。
　刊行物１発明の「視聴継続情報」は、「コンテンツのどの位置まで視聴したかの情報をデジタル化したもの」であるから、本願補正発明の「第１の通信デバイス上でのコンテンツの保存状態を表」す「マーカ情報」に相当する。
　刊行物１発明における『「コンテンツ識別子」及び「個人識別子」』は、本願補正発明の「コンテンツに対応するコンテンツ識別子と、ユーザ識別子とを備え」た、「データキー情報」に相当する。
　刊行物１発明における『「視聴継続情報」、「コンテンツ識別子」及び「個人識別子」』（本願補正発明の『「マーカ情報」、「データキー情報」』に相当）は、利用者からの継続要求に基づいて、個人視聴行動履歴（コンテンツの中断位置を含む（【００５２】、図５））を更新するためのものであるから、本願補正発明の「マーカ情報とデータキー情報とを備え」た「マーカ要求」に相当し、これは、視聴端末装置220から送信され視聴データ管理装置210で受信（本願補正発明の「第１の通信デバイスによって開始されるマーカ要求をサーバシステムが受信」に相当）される。
　刊行物１発明において、「コンテンツ」は、「視聴データ管理装置210は、ステップ109で得た視聴開始情報と、視聴開始情報が示す開始位置からのコンテンツ又はコンテンツ全てとが、視聴端末装置220に通信回線240を利用して送信するステップ110」で視聴端末装置220に送信されるものであるから、「第１の通信デバイスにダウンロードされる」ものであるといえる。
　以上、まとめると、刊行物１発明の方法は、「第１の通信デバイスによって開始されるマーカ要求をサーバシステムが受信することと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされる」を備えるといえ、この点で本願補正発明と一致する。
（イ）本願補正発明の「前記サーバシステムが前記マーカ要求を保存することと」について
　刊行物１発明の方法は、「視聴データ管理装置210は、通信回線240を通して視聴端末装置220から受信した、個人識別子とコンテンツ識別子と視聴継続情報とから、視聴行動履歴の該個人識別子で識別される個人視聴行動履歴を更新するステップ120」を備えている。
　すなわち、「視聴データ管理装置210」（本願補正発明の「サーバシステム」に相当）が、「個人識別子とコンテンツ識別子と視聴継続情報」（本願補正発明の「マーカ要求」に相当）を、「個人視聴行動履歴」として更新（本願補正発明の「保存」に相当）するのであるから、本願補正発明と刊行物１発明とは、「前記サーバシステムが前記マーカ要求を保存することと」を備える点で一致する。
（ウ）本願補正発明の「前記サーバシステムが要求コンテンツ識別子およびリクエスタ識別子と、それぞれ、前記コンテンツ識別子および前記ユーザ識別子との間の一致を判断することと、ここで、前記要求コンテンツ識別子および前記リクエスタ識別子は、第２の通信デバイスによって送信される前に取得したコンテンツの消費を再開したいというコンテンツ再開要求に対応する」について
　刊行物１発明の方法は、「視聴端末装置220は利用者から個人識別子とコンテンツ識別子を受付けるステップ102と、
　視聴端末装置220は視聴開始情報を取得するために、利用者から受け付けた該個人識別子と該コンテンツ識別子を通信回線240を利用して視聴データ管理装置210に対して送信するステップ103と、
　視聴データ管理装置210は、視聴端末装置220から通信回線240を通して個人識別子とコンテンツ識別子を受信するステップ104と、
　視聴データ管理装置210は、視聴端末装置220から通信回線240を通して受信した個人識別子と、視聴行動履歴とから、該個人識別子に対応した個人視聴行動履歴を得るステップ105と、
　視聴データ管理装置210は、視聴端末装置220から通信回線240を通して受信したコンテンツ識別子から、該コンテンツ識別子に対応するコンテンツを準備するステップ106と、 
　視聴データ管理装置210は、視聴端末装置220から通信回線240を通して受信したコンテンツ識別子から、該コンテンツ識別子に対応するコンテンツ情報を準備するステップ107」を備えている。
　刊行物１発明の視聴データ管理装置210（本願補正発明の「サーバシステム」に相当）がステップ104で受信した、「個人識別子」と「コンテンツ識別子」は、システム利用者がコンテンツを視聴するために送信したものであるから、それぞれ、本願補正発明の「リクエスタ識別子」と「要求コンテンツ識別子」に相当するものである。
　視聴データ管理装置210は、この個人識別子（「リクエスタ識別子」）に対応した個人視聴行動履歴を得て、このコンテンツ識別子（「要求コンテンツ識別子」）に対応するコンテンツを準備することを行う。この個人視聴行動履歴は、上記（ア）で述べたように、利用者からの継続要求に基づいて、個人識別子とコンテンツ識別子と視聴継続情報により更新したもの（例えば図５）であるから、視聴データ管理装置210が、個人識別子に対応した個人視聴行動履歴を得て、コンテンツ識別子に対応するコンテンツを準備するために、受信した、「個人識別子」及び「コンテンツ識別子」と、それぞれ、視聴行動履歴を更新するのに用いた、個人識別子及びコンテンツ識別子との間の一致を判断していることは明らかである。
　したがって、本願補正発明と刊行物１発明とは、「前記サーバシステムが要求コンテンツ識別子およびリクエスタ識別子と、それぞれ、前記コンテンツ識別子および前記ユーザ識別子との間の一致を判断することと」を備える点で一致する。
　また、刊行物１発明は、「利用者が異なる視聴端末で、コンテンツ視聴の再開を可能とする」ものであるから、ステップ101からステップ103まで、および、ステップ111からステップ114までは、ある視聴端末（「第２の通信端末」とする）で行われるステップであり、ステップ115からステップ118までは、別の異なる視聴端末（「第１の通信端末」とする）で行われるステップであることが想定されている。
　また、ステップ103で視聴端末装置220（「第２の通信端末」）から送信される「個人識別子」と「コンテンツ識別子」（それぞれ、本願補正発明の「リクエスタ識別子」と「要求コンテンツ識別子」に相当）は、もともと、ステップ101で、デジタルコンテンツ視聴者(デジタルコンテンツ視聴システム利用者)が、コンテンツの視聴をするために入力した情報であるから、「第２の通信端末によって送信されるコンテンツ要求に対応する」ものであるといえる。
　したがって、本願補正発明と刊行物１発明とは、「前記サーバシステムが要求コンテンツ識別子およびリクエスタ識別子と、それぞれ、前記コンテンツ識別子および前記ユーザ識別子との間の一致を判断することと、ここで、前記要求コンテンツ識別子および前記リクエスタ識別子は、第２の通信デバイスによって送信されるコンテンツ要求に対応する」といえる点では共通するということができる。
　もっとも、本願補正発明は、「前記サーバシステムが要求コンテンツ識別子およびリクエスタ識別子と、それぞれ、前記コンテンツ識別子および前記ユーザ識別子との間の一致を判断することと、ここで、前記要求コンテンツ識別子および前記リクエスタ識別子は、第２の通信デバイスによって送信される前に取得したコンテンツの消費を再開したいというコンテンツ再開要求に対応する、」を備えるのに対し、刊行物１発明は、「前記サーバシステムが要求コンテンツ識別子およびリクエスタ識別子と、それぞれ、前記コンテンツ識別子および前記ユーザ識別子との間の一致を判断することと、ここで、前記要求コンテンツ識別子および前記リクエスタ識別子は、第２の通信デバイスによって送信されるコンテンツ要求に対応する、」を備えるとはいえるものの、該「コンテンツ要求」が、「前に取得したコンテンツの消費を再開したいというコンテンツ再開要求」ではない点で、両者は相違する。 
（エ）本願補正発明の「一致が判断された場合、前記サーバシステムが前記第２の通信デバイスへの前記マーカ情報の送信を開始することと、ここで、前記マーカ情報は、前記第１の通信デバイス上での前記コンテンツの保存状態で、前記第２の通信デバイス上で前記コンテンツへのアクセスを開始するように動作可能である」について
　刊行物１発明の方法は、「視聴データ管理装置210は、ステップ105で得た該利用者の個人視聴行動履歴と、ステップ107で得たコンテンツ情報とから、視聴再開に必要な情報である、視聴開始情報を生成するステップ109と、
　視聴データ管理装置210は、ステップ109で得た視聴開始情報と、視聴開始情報が示す開始位置からのコンテンツ又はコンテンツ全てとを、視聴端末装置220に通信回線240を利用して送信するステップ110と、
　視聴端末装置220は、視聴データ管理装置210から、通信回線240を通して視聴開始情報と、コンテンツを受信するステップ111と、
　視聴端末装置220は、ステップ111で得た視聴開始情報と、コンテンツ、とから、視聴情報を生成し、利用者にとってそのコンテンツが最初の視聴である時は最初から視聴情報を生成するステップ112と、
　視聴端末装置220はステップ112で生成した視聴情報を利用者に通知するステップ113と、
　利用者は視聴端末装置220から得た視聴情報を元に、視聴をし、視聴に関する操作はコンテンツにより様々であり、一般的に、再生、進む、戻る、一時停止、停止、終了、再生位置検索、などの操作が行えるステップ114」を備えている。
　ステップ105で利用者の個人視聴行動履歴が得られ、ステップ107でコンテンツ情報が得られるのは、「一致が判断された場合」といえ、このとき、ステップ109で視聴再開に必要な情報である、視聴開始情報を生成し、ステップ110で視聴データ管理装置210は、視聴開始情報を、コンテンツ全てと、視聴端末装置220に送信する。この視聴開始情報は、コンテンツの視聴を再開する位置（「コンテンツのどの位置まで視聴したかの情報をデジタル化したもの」である「視聴継続情報」の位置と同じと考えられる）を示すものであるから、本願補正発明の「第１の通信デバイス上でのコンテンツの保存状態」である「マーカ情報」に相当する。この情報を用いて、「第２の通信デバイス上で前記コンテンツへのアクセスを開始するように動作可能である」のは明らかである。
 　したがって、本願補正発明と刊行物１発明とは、「一致が判断された場合、前記サーバシステムが前記第２の通信デバイスへの前記マーカ情報の送信を開始することと、ここで、前記マーカ情報は、前記第１の通信デバイス上での前記コンテンツの保存状態で、前記第２の通信デバイス上で前記コンテンツへのアクセスを開始するように動作可能である」を備える点で一致する。
（オ）本願補正発明の「前記サーバシステムが、前記第２の通信デバイスに前記コンテンツをダウンロードすることと、を備え、前記コンテンツをダウンロードすることは、前記マーカ情報が示すロケーションで始まる前記コンテンツの部分をダウンロードすること」について
　上記（ア）で示したとおり、刊行物１発明において、「コンテンツ」は、「視聴データ管理装置210は、ステップ109で得た視聴開始情報と、
視聴開始情報が示す開始位置からのコンテンツ
（カ）本願補正発明の「電子コンテンツへのアクセスを管理する方法」について 
　刊行物１発明の「利用者が、異なる視聴端末で、コンテンツ視聴の再開を可能とするデジタルコンテンツ視聴方法」は、デジタルコンテンツ（電子コンテンツ）の視聴（コンテンツへのアクセス）を視聴データ管理装置210を用いて管理しているから、「電子コンテンツへのアクセスを管理する方法」ともいい得る。
　したがって、本願補正発明と刊行物１発明とは、「電子コンテンツへのアクセスを管理する方法」である点で一致する。
（カ）一致点、相違点 
　以上をまとめると、本願補正発明と刊行物１発明の一致点及び相違点は次のとおりである。
［一致点］
　第１の通信デバイスによって開始されるマーカ要求をサーバシステムが受信することと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされる、
　前記サーバシステムが前記マーカ要求を保存することと、
　前記サーバシステムが要求コンテンツ識別子およびリクエスタ識別子と、それぞれ、前記コンテンツ識別子および前記ユーザ識別子との間の一致を判断することと、ここで、前記要求コンテンツ識別子および前記リクエスタ識別子は、第２の通信デバイスによって送信されるコンテンツ要求に対応する、
　一致が判断された場合、前記サーバシステムが前記第２の通信デバイスへの前記マーカ情報の送信を開始することと、ここで、前記マーカ情報は、前記第１の通信デバイス上での前記コンテンツの保存状態で、前記第２の通信デバイス上で前記コンテンツへのアクセスを開始するように動作可能である、
　前記サーバシステムが、前記第２の通信デバイスに前記コンテンツをダウンロードすることと、
を備え、前記コンテンツをダウンロードすることは、前記マーカ情報が示すロケーションで始まる前記コンテンツの部分をダウンロードすることを備える、電子コンテンツへのアクセスを管理する方法。
［相違点］
　本願補正発明は、「前記サーバシステムが要求コンテンツ識別子およびリクエスタ識別子と、それぞれ、前記コンテンツ識別子および前記ユーザ識別子との間の一致を判断することと、ここで、前記要求コンテンツ識別子および前記リクエスタ識別子は、第２の通信デバイスによって送信される前に取得したコンテンツの消費を再開したいというコンテンツ再開要求に対応する、」という構成を備えるのに対し、刊行物１発明は、「前記サーバシステムが要求コンテンツ識別子およびリクエスタ識別子と、それぞれ、前記コンテンツ識別子および前記ユーザ識別子との間の一致を判断することと、ここで、前記要求コンテンツ識別子および前記リクエスタ識別子は、第２の通信デバイスによって送信されるコンテンツ要求に対応する、」という構成を備えるとはいえるものの、該「コンテンツ要求」が、「前に取得したコンテンツの消費を再開したいというコンテンツ再開要求」であるとの限定がない点。
エ．判断
　刊行物１発明は、上記ウ．（ウ）で示したとおり、「利用者が異なる視聴端末で、コンテンツ視聴の再開を可能とする」のであるから、その場合、利用者は「前に取得したコンテンツの消費を再開したい」という期待を持って視聴端末を利用するものといえる。
　このとき、刊行物１発明における「コンテンツ要求」を、本願補正発明のように「前に取得したコンテンツの消費を再開したいというコンテンツ再開要求」と称することは、当業者が適宜なし得る事項である。
　よって、本願補正発明は、刊行物１に記載された発明に基づいて当業者が容易に発明をすることができたものであり、特許法第２９条第２項の規定により特許出願の際独立して特許を受けることができないものである。
（３）補正却下のまとめ
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１．本願発明
　平成２８年７月１５日付けの手続補正は上記のとおり却下されたので、本願の請求項１に係る発明（以下、「本願発明」という。）は、平成２７年１０月１３日付けで提出された手続補正書により補正された特許請求の範囲の請求項１の記載により特定される、以下のとおりのものである。
[本願発明]
「第１の通信デバイスによって開始されるマーカ要求をサーバシステムが受信することと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされる、
　前記サーバシステムが前記マーカ要求を保存することと、
　前記サーバシステムが要求コンテンツ識別子およびリクエスタ識別子と、それぞれ、前記コンテンツ識別子および前記ユーザ識別子との間の一致を判断することと、ここで、前記要求コンテンツ識別子および前記リクエスタ識別子は、第２の通信デバイスによって送信される前に取得したコンテンツの消費を再開したいというコンテンツ再開要求に対応する、
　一致が判断された場合、前記サーバシステムが前記第２の通信デバイスへの前記マーカ情報の送信を開始することと、ここで、前記マーカ情報は、前記第１の通信デバイス上での前記コンテンツの保存状態で、前記第２の通信デバイス上で前記コンテンツへのアクセスを開始するように動作可能である、
　前記サーバシステムが、前記第２の通信デバイスに前記コンテンツをダウンロードすることと、
を備える、電子コンテンツへのアクセスを管理する方法。」
２．刊行物に記載された発明 
　刊行物１の記載事項及び刊行物１発明は、上記「第２　２．（２）イ．刊行物に記載された発明」に記載したとおりである。
３．本願発明と刊行物１発明との対比
　本願発明は本願補正発明から本件補正に係る限定を省いたものである。
　そうすると、本願発明の構成に当該本件補正に係る限定を付加した本願補正発明が、上記「第２　２．（２）独立特許要件」で検討したとおり、刊行物１に記載された発明に基づいて容易に発明できたものであるから、本願発明も同様の理由により、容易に発明できたものである。
第４　むすび
　以上のとおりであるから、本願の請求項１に係る発明は、特許法第２９条第２項の規定により特許を受けることができない。
　したがって、本願は、その余の請求項について論及するまでもなく、拒絶すべきものである。
　よって、結論のとおり審決する。